(57)【特許請求の範囲】
【請求項１】
上ケースと下ケースとを合体して構成したケースの上下のケースの内部に基板をそれぞれ収納した電気接続箱の基板の収納構造において、
前記上ケースには、収容する基板の周縁部に下から圧入するため該基板を保持する保持リブに形成された傾斜壁と該傾斜壁に対して周縁部を圧入した基板を脱落止めするための弾性変形するロック爪とが設けられ、前記下ケースには基板の周縁部を圧入するため下ケースに収容する基板を保持する保持リブに形成された傾斜壁が設けられ、前記上下のケースを合体したときに予め上ケース内に収容してある基板を押圧するリブを下ケースに設け、前記上下のケースを合体したときに下ケース内に収容された基板を押圧するリブを上ケースに設けたことを特徴とする基板の収納構造。
【請求項２】
請求項１記載の基板の収納構造であって、
前記下ケースに収容される基板には、下ケースに設けられたリブが嵌る切欠を設けたことを特徴とする基板の収納構造。
【発明の詳細な説明】
【０００１】
【発明の属する技術分野】
本発明は、例えば電気接続箱のケース内部への基板の収納構造に関する。
【０００２】
【従来の技術】
電気接続箱の中に、下ケースの上に上ケースを合体することで１つのケースを構成し、そのケース内部に回路基板を収容したものが多く知られている。また、その中に、下ケースに第１の基板を収容し、上ケースに第２の基板を収容したものがある。このような２枚の基板をケース内部に収納する場合、上ケースは、基板を装着するときには開口面を上にして基板の装着を行えるものの、下ケースと合体するときには上下の向きが逆となるので、基板をネジで上ケースに止めて、がたつき防止を図っているのが通常である。
【０００３】
【発明が解決しようとする課題】
しかし、基板をネジ止めする場合、部品点数が増えてネジ止めのための作業が必要となる上に、基板にネジ止めのためのデッドスペースができ、基板に対する回路パターンの形成領域が狭くなるという問題がある。
【０００４】
本発明は、上記事情を考慮し、ネジを使用せずに、がたつきなく基板を固定することのできる基板の収納構造を提供することを目的とする。
【０００５】
【課題を解決するための手段】
請求項１の発明は、上ケースと下ケースを合体して構成したケースの上下のケースの内部に基板をそれぞれ収納した電気接続箱の基板の収納構造において、
前記上ケースには、収容する基板の周縁部に下から圧入するため該基板を保持する保持リブに形成された傾斜壁と該傾斜壁に対して周縁部を圧入した基板を脱落止めするための弾性変形するロック爪とが設けられ、前記下ケースには基板の周縁部を圧入するため下ケースに収容する基板を保持する保持リブに形成された傾斜壁が設けられ、前記上下のケースを合体したときに予め上ケース内に収容してある基板を押圧するリブを下ケースに設け、前記上下のケースを合体したときに下ケース内に収容された基板を押圧するリブを上ケースに設けたことを特徴とする。
【０００６】
この構造では、上下のケース同士を合体した際に、相手側のケースに設けたリブで上ケース内の基板、下ケース内の基板を押圧するので、基板をがたつかないように固定することができる。従って、ネジで基板を固定する必要がないので、ネジが不要になる上、ネジ止めによるデッドスペースの減少が図れ、それにより基板に形成することのできる回路スペースが広がる。
また、基板の周縁部を傾斜壁に対して圧入することで、基板をその面方向にがたつかないように保持することができる。
また、特に上ケース内に収容した基板を傾斜壁とロック爪で保持するので、基板をその面方向（この場合は基板に垂直な方向が上下方向であるから基板の面方向は左右方向となる）にがたつかないように保持することができると共に、下ケースと嵌合するために上ケースを下向きにした場合にも、基板を脱落しないように確実に保持しておくことができ、良好な作業性を確保できる。
【０００７】
請求項２の発明は、請求項１記載の基板の収納構造であって、前記下ケースに収容される基板には、下ケースに設けられたリブが嵌る切欠を設けたことを特徴とする。
【０００８】
この構造では、リブと切欠の位置が合った場合だけ、別の基板の装着が可能であるため、基板の誤組み付けが防止できる。
【００１１】
請求項４の発明は、請求項１または２に記載の基板の収納構造であって、前記一方の半ケースを下ケース、他方の半ケースを上ケースとして、上下ケースを合体し、前記上ケースに、該上ケース内に収容する基板の周縁部を下から圧入するための傾斜壁と、該傾斜壁に対して周縁部を圧入した基板を脱落止めするためのロック爪とを設けたことを特徴とする。
【００１３】
【発明の実施の形態】
以下、本発明の実施形態を図面に基づいて説明する。
【００１４】
図１は実施形態の基板の収納構造を取り入れた電気接続箱の一例を示す分解斜視図、図２は図１の上ケースを裏返してその中に基板を装着しようとしている状態を示す斜視図、図３はその上ケースの中の所定位置に基板を装着した状態を示す斜視図、図４は上ケースと下ケースを合体して電気接続箱を組み立てた状態において上ケース側の基板と下ケース側の基板と各押さえリブとの位置関係を示す平面図である。なお、この図４はそれらの位置関係だけを示すために、例えば上下の基板等をだぶって描いてある。また、図５は図４のＶ−Ｖ矢視断面図、図６は図４のＶＩ−ＶＩ矢視断面図で、（ａ）〜（ｃ）はその中の各部の拡大図、図７は図１のＶＩＩ部拡大図、図８は図２のＶＩＩＩ部拡大図である。
【００１５】
図１〜図３に示すように、この電気接続箱１は、下ケース（半ケース）２Ａと上ケース（半ケース）２Ｂからなる樹脂製のケース２の内部に、第１、第２の２枚の回路基板３、４を内蔵したものである。第１の回路基板３は下ケース２Ａの中に嵌め込まれ、第２の回路基板４は上ケース２Ｂの中に嵌め込まれ、それぞれ回路基板３、４が嵌め込まれた下ケース２Ａの上に上ケース２Ｂを被せて両者をロックすることにより、図２の電気接続箱１が構成されている。
【００１６】
下ケース２Ａは、図１に示すように、底壁１１と、その周縁に起立した周側壁１２とを有する底の浅い箱形のもので、周側壁１２の上端外面に上ケース２Ｂに対するロック部１３を備えている。また、周側壁１２の内面側には、第１の回路基板３を保持するための多数の保持リブ１５と、上下ケース２Ｂ、２Ａの合体時に上ケース２Ｂ側に収容した第２の回路基板４を下側から押圧支持するための押さえリブ１７とを備えている。押さえリブ１７は、下ケース２Ａの上方に高く突き出している。第１の回路基板３には、その押さえリブ１７に対応した位置に、押さえリブ１７の嵌まる切欠６が設けられており、誤った向きで第１の回路基板３が装着されるのを防止できるようになっている。
【００１７】
前記保持リブ１５は、図７及び図６（ｂ）、（ｃ）に示すように、下ケース２Ａの上方から回路基板３の周縁部を圧入することで基板３を周縁部から規制する傾斜壁１５ａと、圧入された基板３を受ける受部１５ｂとを有している。
【００１８】
一方、上ケース２Ｂは、図１〜図３に示すように、下ケース２Ａの上部を覆うカバー状のものであり、高さの違う２段の天井壁２１、２２と、それらの周縁から下に延びる周側壁２３とを有する。周側壁２３の下端には、下カバー２Ａの周側壁１２の外側に被さるスカート部２４が設けられ、そのスカート部２４に、下ケース２Ａのロック部１３と嵌合するロック部２５が設けられている。
【００１９】
図２及び図３に上カバー２Ｂを裏返した状態を示すように、上カバー２Ｂの周側壁２３の内面側には、第２の回路基板４を保持するための多数の保持リブ２６と、保持リブ２６と協同して回路基板４の周縁部を上下から挟みそれにより基板４の脱落を阻止するロック爪２７と、上下ケース２Ｂ、２Ａの合体時に下ケース２Ａ側に収容した第１の回路基板３を上側から押圧支持するための押さえリブ２８とが設けられている。この場合、第２の回路基板４は天井の高い方だけに収容されるので、保持リブ２６及びロック爪２７は、天井の高い方の部屋を画成する周壁にだけ設けられている。なお、ロック爪２７は、それを形成した壁の弾性によって基板４の通過を許し、基板４の通過後に元の位置に戻って基板４の脱落を防止するものである。
【００２０】
第２の回路基板４には、図２、図４に示すように、前記押さえリブ２８に対応した位置に、押さえリブ２８の嵌まる切欠７が設けられており、誤った向きで第２の回路基板４が装着されるのを防止できるようになっている。
【００２１】
前記保持リブ２６は、図８及び図６（ａ）に示すように、裏返しにした上ケース２Ｂの上方（下ケース２Ａと組み付けた状態においては下方）から回路基板４の周縁部を圧入することで基板４を周縁部から規制する傾斜壁２６ａと、圧入された基板４を受ける受部２６ｂとを有する。
【００２２】
この電気接続箱１を組み立てる場合には、まず、図１に示すように、下ケース２Ａの中に第１の回路基板３を嵌め込む。即ち、回路基板３の周縁部を下ケース２Ａの内部の保持リブ１５の傾斜壁１５ａに当接させ、そのまま回路基板３を押し下げることにより、回路基板３を傾斜壁１５ａに沿って圧入する。これにより回路基板３は、周縁部の複数個所が保持リブ１５の受部１５ｂに載ることによって一定高さに保持される。
【００２３】
同様に図２に示すように、裏返しにした上ケース２Ｂの中に第２の回路基板４を嵌め込む。即ち、回路基板４の周縁部を上ケース２Ｂの内部の保持リブ２６の傾斜壁２６ａに当接させ、そのまま回路基板４を押し下げることにより、回路基板４を傾斜壁２６ａに沿って圧入する。これにより回路基板４は、周縁部の複数個所が保持リブ２６の受部２６ｂに載ることによって一定高さに保持される。この場合、回路基板４を受部２６ｂまで圧入する過程で、ロック爪２７が弾性変形した後、元の位置に復元して、回路基板４の周縁部を保持リブ２６の受部２６ｂとの間に挟む。従って、上ケース２Ｂを下向きにしたときにも、回路基板４の脱落を確実に防止することができる。
【００２４】
なお、このように回路基板３、４を下ケース２Ａ及び上ケース２Ｂに嵌め込む際に、押さえリブ１７、２８と基板３、４側の切欠６、７の位置がそれぞれ合致していないと、押さえリブ１７、２８と基板３、４が干渉するので、基板３、４を嵌め込めず、従って基板３、４の誤組み付けを防止できる。
【００２５】
このように下ケース２Ａ、上ケース２Ｂに回路基板３、４を組み込んだら、両ケース２Ａ、２Ｂを合体させる。即ち、図１に示すように、下ケース２Ａの上に開口面を下に向けた上ケース２Ｂを被せて、両ケース２Ａ、２Ｂを合体してロックさせる。そうすると、図５、図６に示すように、下ケース２Ａに設けた押さえリブ１７の先端が、上ケース２Ｂに予め嵌め込んである回路基板４の周縁部に押圧する。同様に、上ケース２Ｂに設けた押さえリブ２８の先端が、下ケース２Ａに予め嵌め込んである回路基板３の周縁部に押圧する。これにより、上下２枚の回路基板３、４をがたつかないように確実に固定することができる。また、回路基板３、４の周縁部を保持リブ１５、２６の傾斜壁１５ａ、２６ａに対して圧入してあるので、回路基板３、４を、その面方向つまり左右方向にがたつかないように確実に保持することができる。
【００２６】
従って、ネジで基板３、４を固定する必要がなく、ネジ止めによるデッドスペースの減少を図ることができる。
【００２７】
なお、図３、図５、図６において、押さえリブ１７、２８による押圧位置を符号ＰＡ、ＰＢで示してある。
【００２８】
【発明の効果】
以上説明したように、請求項１の発明によれば、上下のケースを合体した状態で、相手側のケースに設けたリブで双方に収容された基板をそれぞれ押圧するので、基板をがたつきなく確実に固定することができる。従って、ネジで基板を固定する必要がなく、部品点数の削減が図れる上、ネジ止めによるデッドスペースの減少が図れる。その結果、組み付け作業の簡易化と、基板に形成可能な回路スペース領域の拡大が図れる。
また、ケース内に収容した基板を、例えば上下方向ばかりでなく左右方向にも、がたつかないように保持することができる。
また、上ケース側の基板を脱落しないように保持しておくことができるので、組み付け時の作業性の向上が図れる。
【００２９】
請求項２の発明によれば、請求項１の発明の効果に加えて、基板の誤組み付けが防止できる。
【図面の簡単な説明】
【図１】本発明の実施形態の基板の収納構造を取り入れた電気接続箱１の一例を示す分解斜視図である。
【図２】図１の上ケース２Ｂを裏返してその中に基板４を装着しようとしている状態を示す斜視図である。
【図３】前記上ケース２Ｂに基板４を装着した状態を示す斜視図である。
【図４】図１の上ケース２Ｂと下ケース２Ａを合体して電気接続箱１を組み立てた状態において、上ケース２Ｂ側の基板４と下ケース２Ａ側の基板３と各押さえリブ１７、２８との位置関係を示す平面図である。
【図５】図４のＶ−Ｖ矢視断面図である。
【図６】図４のＶＩ−ＶＩ矢視断面図であり、（ａ）〜（ｃ）はその中の各部の拡大図である。
【図７】図１のＶＩＩ部拡大図である。
【図８】図２のＶＩＩＩ部拡大図である。
【符号の説明】
２  ケース
２Ａ  下ケース（半ケース）
２Ｂ  上ケース（半ケース）
３，４  回路基板
６，７  切欠
１５ａ，２６ａ  傾斜壁
１７，２８  押さえリブ
２７  ロック爪
【図１】
0004037108.tif 000002
【図２】
0004037108.tif 000003
【図３】
0004037108.tif 000004
【図４】
0004037108.tif 000005
【図５】
0004037108.tif 000006
【図６】
0004037108.tif 000007
【図７】
0004037108.tif 000008
【図８】
0004037108.tif 000009